(57)【要約】      （修正有）【課題】蚊、虫、温度、風や水などを防止できる、穴を塞ぐ器具を提供する。【解決手段】穴の前に出て蓋になる前面板６と中に入る裏面板７と引きバネ５と引きバネを固定する引きバネ固定板９で構成して、穴の大きさに応じてカットが出来るように裏面板を細く長くして、裏面板と引きバネ固定板を並列にして、引きバネ固定板と裏面板の間に１〜数個の引きバネを取り付けておき、引きバネの効果により、会所の上蓋や壁のいろいろな厚みにずれがなく対応することができて、引きバネの取り付け位置は裏面板の端より一方の方１３を長い距離にしておくことにより、遊びが出来て、長い距離の方を先に入れることで容易に穴に入れることができて、前面板は引きバネとの接続を差し込み方式にしているためにいろいろな前面板を場所や状況に応じて取付け、交換できる。【選択図】図１
0003203521.tif 000002
【実用新案登録請求の範囲】
【請求項１】
穴の前に出て蓋になる前面板と中に入る裏面板と引きバネと引きバネを固定する引きバネ固定板で構成して、穴の大きさに応じてカットが出来るように裏面板を細く長くして、裏面板と引きバネ固定板を並列にして、引きバネ固定板と裏面板の間に１〜数個の引きバネを取り付けておき、引きバネの効果により、会所の上蓋や壁のいろいろな厚みにずれがなく対応することができて、引きバネの取り付け位置は裏面板の端より一方の方を長い距離にしておくことにより、遊びが出来て、長い距離の方を先に入れることで容易に穴に入れることができて、前面板は引きバネとの接続を差し込み方式にしているためにいろいろな前面板を場所や状況に応じて取付け、交換できることを特徴とする、穴を塞ぐ器具。
【請求項２】
枡・会所の上蓋の穴の場合は長さが短く、幅が狭い穴のために指が入らない場合は引きバネ固定板につけた引きバネの輪の中や近辺に１〜２個の支え棒を取り付けて、裏面板の方向に伸ばして裏面板につくった１〜２個の楕円形や細い長方形の穴に通して
0003203521.tif 000004
板を伸ばしておき、裏面板が上蓋や壁の裏側に当たったら、引きバネ固定板を手前に引っ張り、ねじると、支え棒の引っかけが穴に落ちて裏面板が引きバネにより上蓋や壁の裏側に当たってくることにより、穴の中に手を入れずに施工が可能になることを特徴とする、請求項１に記載の、穴を塞ぐ器具。
【請求項３】
前面板は引きバネ固定板との接続を磁石方式で接続しているためにいろいろな前面板を場所や状況に応じて取付け、交換できることを特徴とする、請求項１、請求項２に記載の、穴を塞ぐ器具。
【請求項４】
前面板は引きバネ固定板との接続は一方を凸、もう一方を凹にした、はめ込み方式で接続するためにいろいろな前面板を場所や状況に応じて取付け、交換できることを特徴とする、請求項１、請求項２に記載の、穴を塞ぐ器具。
【請求項５】
引きバネ固定板をなくして、前面板と引きバネを差し込み式、磁石式、はめ込み式で直接に接続したことを特徴とする、請求項１、請求項２に記載の、穴を塞ぐ器具。
【考案の詳細な説明】
【技術分野】
【０００１】家の周りにある、雨水の枡・会所の上蓋の穴や家の内壁、外壁、天井の穴から、蚊やハエなどのいろいろな虫の出入りや風、水が通るのを防ぐことに関するものである。
【背景技術】
【０００２】枡・会所の上蓋の穴や内壁、外壁や天井の穴を塞ぐものは存在する。
【先行技術】
【０００３】次のように存在する。
（１）、枡・会所の上蓋の穴はハエ，ブトなどの虫や蚊に対して高い医学的の意識を持った人々が網戸などのネットを切断したり、購入したりして、自分で又は、業者に頼んで、枡・会所の上蓋の下に敷いたりする。
（２）、内壁のクロス壁でコンセントの穴や小さい穴の場合はアルミ製のメッシュ状の板を両面テープで石膏ボードに止めて、パテ補修をしてその上にクロス仕上げをする。
（３）、内壁の穴はコンセントの故障の穴や家具などが当たってあいた穴であり、壁の下地材を中に補強してベニヤ、ボードを貼りなおして、クロスや塗装をする。ただし、手間や経費がかかる。
（４）、外壁の穴は冷暖の屋外機の配線の後や誤ってあけた穴などであり、木材やベニヤなどで下地をしてサイデング工事や左官工事の上に塗装をする。水対策として防水シートやコーキングの処理をしなければならない場合もある。
（５）、天井の穴は電線の穴や電気器具を移動する時の穴などであり、木材やベニヤなどで下地処理をして、天井材やクロス貼りをする。
【考案の概要】
【０００４】  家の周りの枡・会所の上蓋の穴や天井、内壁や外壁にあけた穴を塞ぐために、本考案は表に出て蓋になる前面板と穴の中に入れる穴より長くて、細くした裏面板、及び、引きバネと前面板を付ける引きバネ固定板とで構成して、引きバネ固定板と裏面板を並列にして、その間に１〜２個の引きバネを付ける。引きバネは裏面板の一方の端から、もう一方の端より長い目の位置に取り付けることにより、長い目の方を先に入れ込むことにより、後から入れるもう一方の端がスムーズに穴に入れ込むことができて、少し戻すことによりセットをすることができる。引きバネにより、枡・会所の上蓋の厚み、３０〜４５ｍｍ、壁の厚み、９〜１５ｍｍに対応して、中より締め付けることができるために前後左右にずれが起きずに、いろいろな種類の前面板を選別したり、交換したりして引きバネ固定板に取り付けることができることを特徴とする、穴を塞ぐ器具。
【考案を解決しようとする課題】
【０００５】  家の周りにある枡・会所の穴や排水口の出口よりハエや蚊が入り、卵を生み、発生して、蚊は多くのいろいろな病気を媒介し、人々の血を吸うて、痒痛を与えて悩ます。今、地球は温暖化により、世界中のすべてのところで蚊が猛烈に発生して増加している。蚊の一種はマラリヤ、日本脳炎、西ナイル熱、デング熱やチクングニヤ熱などのいろいろな病気を媒介する。水たまりがある枡・会所の上蓋の穴から蚊やハエが入るのを防がなければならない。また、家の天井、内壁や外壁の穴は虫が出入りして卵を産んだり、風が通り、室内の冷暖がきかなくなったり、雨水が入り木材を腐らせたりするために素人でもできる穴を塞ぐ器具が要求されている。
【考案が解決するための手段】
【０００６】  本考案は枡・会所の上蓋や天井、壁面の穴に蓋をするために蓋になる前面板と穴の中に入る引きバネと前面板を接続する引きバネ固定板と引きバネの効果により、上蓋や天井、壁の裏面に当たって固定をする裏面板とで構成する。引きバネ固定板と裏面板を並列にして間隔をあけた間に１〜２個の引きバネをいろいろな方法で固定をする。裏面板は穴の大きさ、長さに応じて切断できるように細くて長めの長さにしておく。裏面板につける引きバネの位置はどちらか一方の方を端からの距離を少し長くしておく。長い方を先に長さいっぱいに差し込んで、もう一方の端を穴に入れてから、戻すことにより、スムーズに穴にセットをすることができる。また、裏面板は長くしてあるために穴の大きさにより自由にカットをすることができる。引きバネの固定板と前面板との接続は差し込み方式、磁石方式、一方を凸、もう一方を凹にしたはめ込み方式にして接続する。それにより、前面板はいろいろな状況により、選別したり、交換したりして取り付けることができる。会所の上蓋の穴の長さ；３０×７５〜９５ｍｍ、厚み；３０〜４５ｍｍ、壁のコンセントの穴の長さ；７０×１２０ｍｍと１２０×１２０ｍｍ、厚み；９〜１５ｍｍに対応することができる。特別に薄い天井材や壁面の場合は別の部材を切断して、下にかまして敷くことにより解決する。前面板はコンセントのめくらプレートのような薄いプラクチック製、蚊が通らないが水は通るメッシュ状のネット製。クロス生地にしたり、いろいろな絵柄や色彩や木目調などの模様柄のプレートなどで前面板を選別したり交換することができて、引きバネの力で締め付けることを特徴とする、穴を塞ぐ器具。
【０００７】  枡・会所の蓋の穴は長さが短く、幅が狭いので手の指が入らず、裏面板が会所の上蓋や壁の内側にうまく入らずにセットができない場合は次のようにする。
〔０００６〕に記載した内容に次の１〜２個の支え棒を追加する。
引きバネ固定板につけた引きバネの輪の中や近辺に１〜２個の支え棒を取り付けて、裏面板の方向に伸ばして、裏面板につくった１〜２個の楕円形や細い長方形の穴に通しておく。支
0003203521.tif 000003
状の引っかけを穴に入れずに、穴の横に引っかけておいて、裏面板を伸ばしておき、裏面板の端が上蓋や壁の裏側に当たったら、引きバネ固定板を手前に引っ張り、ねじると、支え棒の引っかけが穴に落ちて、引きバネにより裏面板が上蓋や壁の裏側に当たってくることにより、穴の中に手を入れずに施工が可能になることを特徴とする、穴を塞ぐ器具。
【考案の効果】
【０００８】本考案を枡・会所の上蓋の穴にセットをして塞ぐことにより、蚊はボーフラを産むことができなくなる。蚊が媒介する重大な病気であるマラリヤ、デング熱、日本脳炎、西ナイル熱やチクングニヤ熱などを防止することができる。また、天井、内壁や外壁の穴を本考案で蓋をすることにより、ゴキブリなどの虫の出入りや冷暖の電気代の節減や水や風の入るのを防止する。更に、だらしない穴を放置せずに、素人でも簡単に施工をすることができる。
【図面の簡単な説明】
【０００９】
【図１】正面図
【図２】側面図
【図３】上からの図
【図４】下からの図
【図５】斜め図
【図６】狭い穴の場合で、一本、二本の支え棒を付けた図  （１）正面図  （２）側面図  （３）上からの図  （４）斜め図
【図７】枡・会所の上蓋の穴に入れた図
【図８】内壁の穴に入れた図
【図９】外壁の穴に入れた図
【図１０】天井の穴に入れた図
【図１１】いろいろな前面板  （１）プラスチック製などの薄い板面  （２）クロス、ボード面  （３）メッシュ状の面
【図１２】接続方法  （１）差し込み方式  （２）磁石方式  （３）はめ込み方式
【符号の説明】
【００１０】▲１▼枡・会所の上蓋の穴
▲２▼内壁の穴
▲３▼外壁の穴
▲４▼天井の穴
▲５▼引きバネ
▲６▼前面板
▲７▼裏面板
▲８▼裏面板の穴
▲９▼引きバネ固定板
▲１０▼接続部分、（差し込み方式）
▲１１▼接続部分、（磁石方式）
▲１２▼接続部分、（はめ込み方式）
▲１３▼距離の長い方
▲１４▼距離の短い方
▲１５▼上蓋、壁、天井
▲１６▼メッシュ状
▲１７▼クロス状
▲１８▼プラスチックなどの薄い板面
▲１９▼支え棒
▲２０▼支え棒の引っかけ
▲２１▼磁石
【考案を実施するための形態】
【００１１】  次のように実施する。
（１）穴が大きくて指が入る場合
１、長い目の方の裏面板を上蓋や壁の内側の裏面に引っかかるように、穴の寸法より大き目にカットする。
２、現場の状況に合わせて、いろいろな種類の中から前面板を選別して、引きバネ固定板に取り付ける。
３、裏面板の端から引きバネまでの距離の長い方を、バネを伸ばして穴の一方の端で上蓋や壁、天井の内側の裏面に差し込む。
４、もう一方の片方の穴にもう一方の裏面板の引きバネを伸ばして入れて、上蓋や壁の内側の裏面に引っかける。
５、前面板を隙間の出ないようにセットをする。
（２）穴が小さくて幅が狭い場合
１、長い目の方の裏面板を上蓋や壁の内側の裏面に引っかかるように、穴の寸法より大き目にカットする。
２、現場の状況に合わせて、いろいろな種類の中から前面板を選別して、引きバネ固定板に取り付ける。
３、１〜２本の支え棒の引っかけを裏面板の穴の横に置いて、引きバネを伸ばした状態にセットする。
４、セットをしたままで穴に入れ込んで長い方の裏面板を上蓋、壁、天井の内側の裏面に差し込む。
５、もう一方の片方の穴にもう一方の裏面板を引きバネを伸ばして入れて、上蓋、壁や天井の内側の裏面に引っかける。
６、引きバネ固定板を引っ張りながらねじって、支え棒の引っかけを外して穴に入れて裏面板を上蓋、壁や天井の内側の裏面に当てて、前面板を隙間の出ないようにセットをする。
【産業上の利用可能性】
【００１２】  蚊はいろいろな重大な病気を媒介する。ハエやゴキブリなどもいろいろな菌を媒介する。そのためには穴に出入りするのを防止しなければならない。本考案の穴の蓋をすることにより蚊やいろいろな虫の進入や出入りを防止し、内壁、外壁、天井の穴の塞ぎは電力代の軽減や美観に寄与するとともに水などの原因で木材などの腐れをなくする。日々の快適生活に寄与するとともに、人類の生存に貢献する。
【図１】
0003203521.tif 000005
【図２】
0003203521.tif 000006
【図３】
0003203521.tif 000007
【図４】
0003203521.tif 000008
【図５】
0003203521.tif 000009
【図６】
0003203521.tif 000010
【図７】
0003203521.tif 000011
【図８】
0003203521.tif 000012
【図９】
0003203521.tif 000013
【図１０】
0003203521.tif 000014
【図１１】
0003203521.tif 000015
【図１２】
0003203521.tif 000016
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
穴の前に出て蓋になる前面板と中に入る裏面板と引きバネと引きバネを固定する引きバネ固定板で構成して、穴の大きさに応じてカットが出来るように裏面板を細く長くして、裏面板と引きバネ固定板を並列にして、引きバネ固定板と裏面板の間に１〜数個の引きバネを取り付けておき、引きバネの効果により、会所の上蓋や壁のいろいろな厚みにずれがなく対応することができて、引きバネの取り付け位置は裏面板の端より一方の方を長い距離にしておくことにより、遊びが出来て、長い距離の方を先に入れることで容易に穴に入れることができて、前面板は引きバネとの接続を差し込み方式にしているためにいろいろな前面板を場所や状況に応じて取付け、交換できることを特徴とする、穴を塞ぐ器具。
【請求項２】
枡・会所の上蓋の穴の場合は長さが短く、幅が狭い穴のために指が入らない場合は引きバネ固定板につけた引きバネの輪の中や近辺に１〜２個の支え棒を取り付けて、裏面板の方向に伸ばして裏面板につくった１〜２個の楕円形や細い長方形の穴に通して
0003203521.tif 000017
板を伸ばしておき、裏面板が上蓋や壁の裏側に当たったら、引きバネ固定板を手前に引っ張り、ねじると、支え棒の引っかけが穴に落ちて裏面板が引きバネにより上蓋や壁の裏側に当たってくることにより、穴の中に手を入れずに施工が可能になることを特徴とする、請求項１に記載の、穴を塞ぐ器具。
【請求項３】
前面板は引きバネ固定板との接続を磁石方式で接続しているためにいろいろな前面板を場所や状況に応じて取付け、交換できることを特徴とする、請求項１又は請求項２に記載の、穴を塞ぐ器具。
【請求項４】
前面板は引きバネ固定板との接続は一方を凸、もう一方を凹にした、はめ込み方式で接続するためにいろいろな前面板を場所や状況に応じて取付け、交換できることを特徴とする、請求項１又は請求項２に記載の、穴を塞ぐ器具。
【請求項５】
引きバネ固定板をなくして、前面板と引きバネを差し込み式、磁石式、はめ込み式で直接に接続したことを特徴とする、請求項１又は請求項２に記載の、穴を塞ぐ器具。